(57)【要約】【課題】  物品の接合作業の簡素化を図る。【解決手段】  本発明に係る積層接着テープ２は、ベース材６の両面に粘着剤７，８が塗布された粘着シート９が積層され、各粘着シート９の間に剥離紙１０が介装され、剥離紙１０は、一方の面と他方の面の表面粗さが異なるように構成されていることを特徴とする。また、本発明に係る積層接着テープ２を備えたスタンプ式接着テープ１は、下端部が開放され、積層接着テープ２の外周部を保持可能なホルダー３と、ホルダー３と積層接着テープ２との間に介装され、積層接着テープ２をホルダー３の下端部から押し出し可能な押圧機構５とを備え、積層接着テープ２の最下層がその直上層の粘着シート９から剥離可能なようにホルダー３の下端部が拡径されていることを特徴とする。【選択図】  図１
2005225989.tif 000002
【特許請求の範囲】
【請求項１】
ベース材の両面に粘着剤が塗布された粘着シートが積層され、該各粘着シートの間に剥離紙が介装され、該剥離紙は、一方の面と他方の面の表面粗さが異なるように構成されていることを特徴とする積層接着テープ。
【請求項２】
ベース材の両面に粘着剤が塗布された粘着シートが積層され、前記ベース材は、一方の面に塗布した粘着剤と他方の面に塗布した粘着剤の粘着強度が異なるように構成されていることを特徴とする積層接着テープ。
【請求項３】
一方の面と他方の面の表面粗さが異なるように構成した剥離紙が前記粘着シートの間に介装され、前記剥離紙の表面粗さの大きい面が前記ベース部材の粘着強度の弱い粘着剤を塗布した面に接すると共に、前記剥離紙の表面粗さの小さい面が前記ベース部材の粘着強度の強い粘着剤を塗布した面に接するように構成されている請求項２に記載の積層接着テープ。
【請求項４】
ベース材のいずれか一方の面に粘着剤が塗布された粘着シートが積層され、前記ベース材は、一方の面と他方の面の表面粗さが異なるように構成されていることを特徴とする積層接着テープ。
【請求項５】
請求項１〜４のいずれか１の請求項に記載の積層接着テープを備えたスタンプ式接着テープであって、
下端部が開放され、前記積層接着テープの外周部を保持可能なホルダーと、
該ホルダーと前記積層接着テープとの間に介装され、前記積層接着テープを前記ホルダーの下端部から押し出し可能な押圧機構と、
を備え、前記積層接着テープの最下層がその直上層の粘着シートから剥離可能なように前記ホルダーの下端部が拡径されていることを特徴とするスタンプ式接着テープ。
【請求項６】
請求項１又は３に記載の積層接着テープを備えたスタンプ式接着テープであって、
前記積層接着テープは、前記剥離紙の外形が前記粘着シートの外形より大きくなるように形成されており、
下端部が開放され、前記積層接着テープの剥離紙の外周部を保持可能なホルダーと、
該ホルダーと前記積層接着テープとの間に介装され、前記積層接着テープを前記ホルダーの下端部から押し出し可能な押圧機構と、
を備え、前記積層接着テープの最下層の剥離紙がその直上層の粘着シートから剥離可能なように前記ホルダーの下端部が拡径されていることを特徴とするスタンプ式接着テープ。
【請求項７】
前記押圧機構は、前記積層接着テープ上に設けられ、前記ホルダーの内面に沿って下方に摺動可能なシリンダーと、該シリンダーと前記ホルダーとの間に介装され、該シリンダーを下方に押圧する方向に付勢されたバネとから成り、前記シリンダーの下方への移動に伴い、該シリンダーと前記ホルダー内面との摩擦力が増大するように構成されている請求項５又は６に記載のスタンプ式接着テープ。
【発明の詳細な説明】
【技術分野】
【０００１】
本発明は、ベース材の少なくとも一方の面に粘着剤を塗布した粘着シートを積層した積層接着テープ及びその積層接着テープを備えたスタンプ式接着テープに関する。
【背景技術】
【０００２】
従来、ベース材の一方の面に粘着剤を塗布した接着テープや、ベース材の両面に粘着剤を塗布した接着テープは、物品接合手段として、事務用品やＯＡ機器などの各種産業分野で利用されている。
【０００３】
一般的に、これらの接着テープはロール状に巻回されており、使用する時に、必要長さ分だけ伸ばして切断し、物品に貼り付けていた。また、両面接着テープの場合には、その後さらに、剥離紙を剥がしてもう一方の粘着剤を露出させ、その粘着剤に他の物品を貼り付けていた。（公知・公用の従来技術に基づき発明したため、本発明に関連する先行技術文献を出願人は知らない。）
【発明の開示】
【発明が解決しようとする課題】
【０００４】
上記したように、従来の接着テープでは、使用時に、必要長さ分だけ伸ばして切断する作業が必要となり、物品の接合作業に手間が掛かるといった問題があった。また、両面接着テープの場合には、その後さらに、剥離紙を剥がす作業も必要となり、物品の接合作業が非常に煩雑化するといった問題があった。
【０００５】
本発明は、上記した課題を解決すべくなされたものであり、物品の接合作業の簡素化が図れる積層接着テープ及びその積層接着テープを備えたスタンプ式接着テープを提供しようとするものである。
【課題を解決するための手段】
【０００６】
本発明に係る積層接着テープは、ベース材の両面に粘着剤が塗布された粘着シートが積層され、該各粘着シートの間に剥離紙が介装され、該剥離紙は、一方の面と他方の面の表面粗さが異なるように構成されていることを特徴とする。
【０００７】
また、本発明に係る積層接着テープは、ベース材の両面に粘着剤が塗布された粘着シートが積層され、前記ベース材は、一方の面に塗布した粘着剤と他方の面に塗布した粘着剤の粘着強度が異なるように構成されていることを特徴とする。
【０００８】
そして、一方の面と他方の面の表面粗さが異なるように構成した剥離紙が前記粘着シートの間に介装され、前記剥離紙の表面粗さの大きい面が前記ベース部材の粘着強度の弱い粘着剤を塗布した面に接すると共に、前記剥離紙の表面粗さの小さい面が前記ベース部材の粘着強度の強い粘着剤を塗布した面に接するように構成されているのが好ましい。
【０００９】
さらに、本発明に係る積層接着テープは、ベース材のいずれか一方の面に粘着剤が塗布された粘着シートが積層され、前記ベース材は、一方の面と他方の面の表面粗さが異なるように構成されていることを特徴とする。
【００１０】
さらにまた、本発明に係る積層接着テープを備えたスタンプ式接着テープは、下端部が開放され、前記積層接着テープの外周部を保持可能なホルダーと、該ホルダーと前記積層接着テープとの間に介装され、前記積層接着テープを前記ホルダーの下端部から押し出し可能な押圧機構とを備え、前記積層接着テープの最下層がその直上層の粘着シートから剥離可能なように前記ホルダーの下端部が拡径されていることを特徴とする。
【００１１】
また、本発明に係る積層接着テープを備えたスタンプ式接着テープは、前記積層接着テープは、前記剥離紙の外形が前記粘着シートの外形より大きくなるように形成されており、下端部が開放され、前記積層接着テープの剥離紙の外周部を保持可能なホルダーと、該ホルダーと前記積層接着テープとの間に介装され、前記積層接着テープを前記ホルダーの下端部から押し出し可能な押圧機構とを備え、前記積層接着テープの最下層の剥離紙がその直上層の粘着シートから剥離可能なように前記ホルダーの下端部が拡径されていることを特徴とする。
【００１２】
そして、前記押圧機構は、前記積層接着テープ上に設けられ、前記ホルダーの内面に沿って下方に摺動可能なシリンダーと、該シリンダーと前記ホルダーとの間に介装され、該シリンダーを下方に押圧する方向に付勢されたバネとから成り、前記シリンダーの下方への移動に伴い、該シリンダーと前記ホルダー内面との摩擦力が増大するように構成されているのが好ましい。
【発明の効果】
【００１３】
本発明によれば、粘着シートが積層されており、紙面等の物品に押し付けるだけで、粘着シート毎に剥離させることができるため、粘着シートを切断する作業が不要となり、物品の接合作業の簡素化が図れる等、種々の優れた効果を得ることができる。
【発明を実施するための最良の形態】
【００１４】
以下、図面を参照しつつ、本発明の実施の形態について説明する。ここで、図１は本発明の実施の形態に係る積層接着テープを備えたスタンプ式接着テープを示す断面図、図２は積層接着テープを示す平面図、図３（ａ）及び（ｂ）はスタンプ式接着テープの作用を示す断面図、図４はスタンプ式接着テープの作用を示す断面図、図５は積層接着テープの貼付け状態を示す平面図、図６は積層接着テープを封筒に貼付けた状態を示す平面図、図７（ａ）及び（ｂ）は積層接着テープの別の例での作用を示す断面図、図８（ａ）及び（ｂ）は積層接着テープの別の例での作用を示す断面図、図９は積層接着テープの粘着シートの別の例を示す断面図、図１０は積層接着テープの粘着シートの別の例での作用を示す断面図である。
【００１５】
図１に示されているように、本実施の形態に係るスタンプ式接着テープ１は、積層接着テープ２と、積層接着テープを保持可能に形成された有天角筒状のホルダー３と、ホルダー３の天井面４と前記積層接着テープ２との間に介装された押圧機構５とから構成されている。
【００１６】
積層接着テープ２は、正方形のベース材６の両面に粘着剤７，８が塗布された粘着シート９を直方体形状に積層し、該各粘着シート９の間及び最上層の粘着シート９と押圧機構５との間にそれぞれ剥離紙１０を介装させることにより構成されている。粘着シート９の粘着剤７，８の粘着強度はベース材６の上面側の粘着剤７の方がベース材６の下面側の粘着剤８より強く、また、剥離紙１０の表面粗さは上面側１１の方が下面側１２より大きく（すなわち、粗く）なるように形成されている。このように、剥離紙１０の表面粗さの大きい面（すなわち、上面側１１）がベース部材６の粘着強度の小さい粘着剤８を塗布した面（すなわち、下面側）に接すると共に、剥離紙１０の表面粗さの小さい面（すなわち、下面側１２）がベース部材６の粘着強度の大きい粘着剤７を塗布した面（すなわち、上面側）に接するように構成されており、しかも、剥離紙１０は、表面粗さの大きい面（粗い面）より表面粗さの小さい面（平滑面）の接着力が強くなるから、積層接着テープ２は剥離紙１０の上面側１１と粘着シート９の下面側との間で剥離し易くなる。また、図２に示すように、剥離紙１０は、粘着シート９の外形より所定寸法（図２では、寸法ａ）大きくなるように形成されている。
【００１７】
ホルダー３の内部には、上方から、押圧機構５を収容可能な押圧機構収容部１３、積層接着テープ２を保持可能な粘着シート保持部１４、ホルダー３の下端部において拡径された粘着シート剥離部１５がそれぞれ形成されており、押圧機構収容部１３から粘着シート保持部１４に向かって傾斜面１６を介して次第に縮径されている。そして、剥離紙１０の外形が粘着シート９の外形より大きいため、粘着シート保持部１４はその内面と剥離紙１０の外周部との摩擦力により積層接着テープ２を保持し、また、最下層の粘着シート９の剥離紙１０の外周部は粘着シート剥離部１５の内面との摩擦力が、他の粘着シート９の剥離紙１０の外周部と粘着シート保持部１４の内面との摩擦力より小さくなるようになっている。
【００１８】
押圧機構５は、積層接着テープ２上に設けられたシリンダー１７と、シリンダー１７とホルダー３の天井面４との間に介装され、シリンダー１７を下方に押圧する方向に付勢されたバネ１８とから構成されている。そして、シリンダー１７はバネ１８の反発力によりホルダー３の粘着シート保持部１４の内面に沿って下方に摺動可能となっており、シリンダー１７の下方への移動に伴い、シリンダー１７と粘着シート保持部１４内面との摩擦力が増大するように構成されている。また、バネ１８の反発力は、粘着シート保持部１４内面と剥離紙１０の外周部との摩擦力と釣り合い、積層接着テープ２の最下層の粘着シート９の下端部が常にホルダー３の下端から下方に僅かに突出するように調整されている。
【００１９】
次に、図３及び図４を参照しつつ、本実施の形態に係る積層接着テープ２及びその積層接着テープ２を備えたスタンプ式接着テープ１の作用について説明する。
【００２０】
図３（ａ）に示すように、粘着シート９を貼り付ける紙面１９上にスタンプ式接着テープ１の下端を合わせ、その紙面１９に対して押し付ける。そうすると、積層接着テープ２の最下層の粘着シート９の下端部がホルダー３の下端から下方に僅かに突出しているため、その最下層の粘着シート９の下側の粘着剤８が紙面１９に貼り付く。そこで、ホルダー３を持ち上げると、図３（ｂ）に示すように、接着力が弱く、しかも、剥離紙１０の外周部とホルダー３の内面との間の摩擦力の最も弱い、最下層の粘着シート９の剥離紙１０の上面側１１とその直上層の粘着シート９の下面側の粘着剤８との間で剥離し、最下層の粘着シート９だけが紙面１９に貼り付く。
【００２１】
次に、紙面１９に貼り付いた最下層の粘着シート９の剥離紙１０を剥がし、その粘着シート９の上側の粘着剤７に所要の物品を貼り付ける。この場合、剥離紙１０の外形が粘着シート９の外形より大きいため、剥離紙の剥離作業は容易に行うことができる。また、この作業中に、粘着剤７，８が剥離紙１０の外周部にはみ出し、ホルダー３の内面に粘着したりすることもない。
【００２２】
その後、ホルダー３内の粘着シート９が次第に少なくなった場合、図４に示すように、シリンダー１７の下方への移動に伴い、シリンダー１７と粘着シート保持部１４内面との摩擦力が増大し、その摩擦力がバネ１８の反発力と釣り合うため、積層接着テープ２の最下層の粘着シート９の下端部は、常に、ホルダー３の下端から下方に僅かに突出し、最後の粘着シート９まで確実に紙面１９に貼り付けることができる。そして、ホルダー３内に粘着シート９がなくなると、バネ１８の反発力はゼロになる。
【００２３】
なお、上記実施の形態では、積層接着テープ２の貼り付け形状は、正方形を成しているが、他の形状であってもよく、例えば、円形や多角形、或いは、図５及び図６に示すように、封筒２０の糊付け部２１に合わせた形状、例えば変形した五角形であってもよく、この場合には、効率よく、封筒の糊付け作業を行うことができる。
【００２４】
また、本発明は、両面テープだけでなく、図７（ａ）及び（ｂ）に示すように、ベース材６の下面側に粘着剤８を塗布した粘着シート２２を積層させて構成した積層接着テープ２３にも適用可能であり、この場合、ベース材６の表面粗さは下面側より上面側を大きく（粗く）し、ベース材６の上面側と粘着剤８の下面側との間で剥離するようにする。
【００２５】
さらに、図８（ａ）及び（ｂ）に示すように、剥離紙１０を粘着シート９の間に介装させずに、ベース材６の上下の粘着剤７，８の強度が異なるように構成させるだけでもよい。
【００２６】
また、剥離紙１０を粘着シート９の間に介装させた場合には、ベース材６の上下の粘着剤７，８の強度を変えずに、剥離紙１０の上面側１１と下面側１２の表面粗さだけが異なるように構成させてもよい。
【００２７】
さらにまた、粘着剤の強度は、粘着剤の構成成分の組成を変えずに、図９及び図１０に示すように、粘着剤２４の塗布面積に変化を付けることにより、変えることもできる。
【００２８】
さらに、上記したホルダー３の形状及び構造は、単なる例示に過ぎず、各種変更が可能であり、例えば、積層接着テープ２の中央に縦孔を穿設し、その縦孔に支持軸等を挿入して保持する形態のものであってもよい。
【００２９】
さらに、上記実施の形態では、最下層の粘着シート９の剥離紙１０の上面側１１とその直上層の粘着シート９の下面側の粘着剤８との間で剥離するように構成されているが、例えば、下面側の粘着剤８の強度を上面側の粘着剤７より強くすると共に、剥離紙１０の上面側１１の表面粗さを下面側１２より小さくすることにより、最下層の粘着シート９が紙面１９に貼り付いた時に剥離紙１０がホルダー３側の粘着シート９に残るように構成することもできる。
【図面の簡単な説明】
【００３０】
【図１】本発明の実施の形態に係る積層接着テープを備えたスタンプ式接着テープを示す断面図である。
【図２】本発明の実施の形態に係る積層接着テープを示す底面図である。
【図３】（ａ）及び（ｂ）は本発明の実施の形態に係るスタンプ式接着テープの作用を示す断面図である。
【図４】本発明の実施の形態に係るスタンプ式接着テープの作用を示す断面図である。
【図５】本発明の実施の形態に係る積層接着テープの貼付け状態を示す平面図である。
【図６】本発明の実施の形態に係る積層接着テープを封筒に貼付けた状態を示す平面図である。
【図７】（ａ）及び（ｂ）は本発明の実施の形態に係る積層接着テープの別の例での作用を示す断面図である。
【図８】（ａ）及び（ｂ）は本発明の実施の形態に係る積層接着テープの別の例での作用を示す断面図である。
【図９】本発明の実施の形態に係る積層接着テープの粘着シートの別の例を示す断面図及びその平面図、底面図である。
【図１０】本発明の実施の形態に係る積層接着テープの粘着シートの別の例での作用を示す断面図である。
【符号の説明】
【００３１】
１          スタンプ式接着テープ
２          積層接着テープ
３          ホルダー
５          押圧機構
６          ベース部材
７          粘着剤
８          粘着剤
９          粘着シート
１０        剥離紙
１１        上面側
１２        下面側
１７        シリンダー
１８        バネ
２２        粘着シート
２３        積層接着テープ
２４        粘着剤
【図１】
2005225989.tif 000003
【図２】
2005225989.tif 000004
【図３】
2005225989.tif 000005
【図４】
2005225989.tif 000006
【図５】
2005225989.tif 000007
【図６】
2005225989.tif 000008
【図７】
2005225989.tif 000009
【図８】
2005225989.tif 000010
【図９】
2005225989.tif 000011
【図１０】
2005225989.tif 000012